(57)【要約】【課題】知能がある程度発達した乳幼児の興味・関心を確実にひきつけ、オムツ交換時の労力の負担を軽減することができるような形態のオムツを提供する。【解決手段】ストーリー性のある絵柄を含む絵柄を配置したオムツについて、特にオムツの絵柄や表現方法を、対象となる子供の月齢の心理発達の成長段階にあったものへと変更する、具体的には、ストーリー性のある絵柄を含む絵柄を配置することにより、オムツの対象月齢を調整する。【選択図】　図２
2004105668.tif 000002
【特許請求の範囲】
【請求項１】
所定のイラスト表示がなされているイラスト表示部を備える使い捨てオムツにおいて、
前記イラスト表示部に表示されるイラストを変更することにより、前記使い捨てオムツの対象月齢を調整する方法。
【請求項２】
所定のイラスト表示がなされているイラスト表示部を備える使い捨てオムツであって、
前記イラスト表示部は、それぞれ異なるイラストを表示している複数のサブイラスト表示部からなり、当該サブイラスト表示部は、使い捨てオムツに存在する複数の表示面の異なる表示面にそれぞれ配置されていると共に、前記複数のサブイラスト表示部に表示されている各イラストの間には、形状、模様、色彩、観念、あるいはこれらの組み合わせの上で、何らかの関連性もしくは統一性が設定されている使い捨てオムツであり、
前記異なる表示面にそれぞれ配置されている前記サブイラスト表示部に表示されているイラストを一連のものとして見て当該イラストどうしを対比した場合に、当該イラストどうしの間で生ずるイラストの変化の態様を調整することにより、前記使い捨てオムツの対象月齢を調整する方法。
【請求項３】
前記イラストは、特定のキャラクターが少なくとも一つ以上含まれているイラストである請求項１または２記載の方法。
【請求項４】
対象月齢３６ヶ月以下幼児用使い捨てオムツに対して適用される方法である請求項１から３いずれか記載の方法。
【請求項５】
対象月齢１２ヶ月以上２４ヶ月未満幼児用使い捨てオムツに対して適用される方法である請求項１から３いずれか記載の方法。
【請求項６】
対象月齢１８ヶ月以上２４ヶ月未満幼児用使い捨てオムツに対して適用される方法である請求項１から３いずれか記載の方法。
【請求項７】
前記使い捨てオムツがテープ型オムツである請求項１から６いずれか記載の方法。
【請求項８】
前記使い捨てオムツがパンツ型オムツである請求項７記載の方法。
【請求項９】
所定のイラスト表示がなされているイラストを備える使い捨てオムツにおける、前記イラストを決定する際に使用される、使い捨てオムツのイラスト決定方法であって、
前記イラストの候補からなるイラスト候補群を設定するイラスト群決定工程と、
前記イラスト候補群に含まれているイラストが付されている使い捨てオムツを被験者たる子供のおむつ交換に教師、当該おむつ交換の際の単位時間当たりに生ずる、母親から子供への一度の働きかけをプラス１とカウントし、
【数１】
2004105668.tif 000025
の数式により、「母親働きかけ値」を算出する母親働きかけ値算出工程と、
前記イラスト候補群に含まれている各イラストの候補に対応する母親働きかけ値同士を比較して、コンピュータが、母親働きかけ値の高いものから順に、イラスト候補として妥当であることを出力する使い捨てオムツのイラスト決定方法。
【請求項１０】
請求項９に記載のイラスト決定方法であって、
当該オムツ交換の際の単位あたりに生ずる、母親から子供への働きかけに対して、子供から、喜び、快楽などポジティブな感情に伴うシグナルが認められた場合、あるいは、母親から子供への働きかけがあった以降に、子供から、喜び、快楽などポジティブな感情に伴うシグナルが認められた場合をプラス１とカウントし、
【数２】
2004105668.tif 000026
の数式により、「子供反応値」を算出する子供反応値算出工程と、
【数３】
2004105668.tif 000027
の数式により、プラス作用値を算出するプラス作用値算出工程と、
このプラス作用値算出工程にて算出された、前記イラスト群候補に含まれている各イラストの候補に対応するプラス作用値どうしを比較して、コンピュータがプラス作用値の高いものから順に、イラストの候補として妥当であることを出力する使い捨てオムツのイラスト決定方法。
【請求項１１】
所定のイラスト表示がなされているイラスト表示部を備える使い捨てオムツにおける、前記イラスト表示部に表示されるイラストを決定する際に使用される、使い捨てオムツのイラスト決定方法であって、
前記イラストの候補からなるイラスト候補群を設定するイラスト候補群設定工程と、
前記イラスト候補群に含まれているイラストが付されている使い捨てオムツを被験者たる子供のオムツ交換に供し、当該オムツ交換の際の単位時間あたりに生ずる子供の動作のうち、当該動作が、ポジティブな感情に伴う動作である場合をプラス、ネガティブな感情につながる動作である場合をマイナス、として極性を定め、
【数４】
2004105668.tif 000028
の数式により「母子相互作用」を算出する母子相互作用算出工程と、
この母子相互作用算出工程にて算出された、前記イラスト候補群に含まれている各イラストの候補に対応する母子相互作用どうしを比較して、コンピュータが、母子相互作用の高いものから順に、イラストの候補として妥当であることを出力する使い捨てオムツのイラスト決定方法。
【請求項１２】
前記ポジティブな感情に伴う動作は、子供の「笑う、機嫌よく声を出す、物を握る、または遊ぶ」という動作であり、前記ネガティブな感情につながる動作は、子供の「泣く、逃げる、暴れる、怒る」という動作である請求項１０または１１記載の使い捨てオムツのイラスト決定方法。
【請求項１３】
前記単位時間は、以下のものである請求項１０から１２記載の使い捨てオムツのイラスト決定方法。
「▲１▼新しいオムツを準備する。→▲２▼子供を誘導する。→▲３▼装着しているオムツを取り外す。→▲４▼股間部を清浄し、新しいオムツを装着する。→▲５▼使用済みのオムツを破棄する。」
【請求項１４】
所定のイラスト表示がなされているイラスト表示部を備え、前記イラスト表示部は、それぞれ異なるイラストを表示している複数のサブイラスト表示部からなり、当該サブイラスト表示部は、使い捨てオムツに存在する複数の表示面の異なる表示面にそれぞれ配置されていると共に、前記複数のサブイラスト表示部に表示されている各イラストの間には、形状、模様、色彩、観念、あるいはこれらの組み合わせの上で、何らかの関連性もしくは統一性が設定されている使い捨てオムツにおける、
前記イラスト表示部に表示されるイラストを決定する際に使用される、使い捨てオムツのイラスト決定方法であって、
前記サブイラスト表示部のそれぞれに表示されるイラストの候補からなるイラスト候補群を設定するイラスト候補群設定工程と、
前記イラスト候補群に含まれているイラストが付されている使い捨てオムツを被験者たる子供のオムツ交換に供し、当該オムツ交換の際に、前記被験者たる子供が見える表示面を逐次変更したときに単位時間あたりに生ずる子供の動作のうち、当該動作が、ポジティブな感情に伴う動作である場合をプラス、ネガティブな感情につながる動作である場合をマイナス、として極性を定め、
【数５】
2004105668.tif 000029
の数式により「母子相互作用」を算出する母子相互作用算出工程と、
この母子相互作用算出工程にて算出された、前記イラスト候補群に含まれている各イラストの候補に対応する母子相互作用どうしを比較して、コンピュータが、母子相互作用の高いものから順に、イラストの候補として妥当であることを出力する使い捨てオムツのイラスト決定方法。
【発明の詳細な説明】
【０００１】
【発明の属する技術分野】
本発明は、イラストを備えた使い捨てオムツについて、そこに表示されるイラストを変更することによって、使い捨てオムツの対象月齢を調整する方法に関する。
【０００２】
【従来の技術】
オムツ交換を嫌がって暴れる赤ちゃんのオムツを換えることは、交換者にとって、体力的、精神的に大きな負担である。そして、このような負担を軽減するために、子供が喜ぶであろうと考えられる絵柄をオムツに付すようなことが行われている。実際に、かわいらしいキャラクターの絵柄を付したような紙オムツも出回っている。
【０００３】
しかしながら、このような紙オムツには、実際には、期待したほどの効果はなく、実際には、乳幼児（特に、手足が動かせる、ハイハイができる、歩いたり、走ったりできる、というような運動レベルに発達した子供）は、オムツ換えを嫌がり、逃げたり暴れたりするので、交換者のオムツ換え負担の問題は解決されていなかった。
【０００４】
なお、これに関する従来例として、特許文献１には、交換者が子供を楽しませたり、トイレトレーニングをする子供のモチベーションを高める目的で、描かれたイラストのインパクトを弱めないように、バックシートにおける不織布の光透過率を８０％以上にしたものが記載されている。
【０００５】
また、この特許文献１には、体重１５ｋｇ以上の幼児を対象としたトレーニングパンツに、子供のトイレトレーニングのモチベートを向上させるために、濡れたら消えるお知らせデザインを取り入れたものも記載されている。
【０００６】
【特許文献１】
国際公開第０１／４９２３０号パンフレット
【０００７】
【発明が解決しようとする課題】
しかしながら、このような従来例にあっては、「子供＋パンツ」の意匠性が、母親を満足させているというだけであって、期待するほど、子供心を惹きつけてはいない。こうしたことから実際は、子供の興味や関心が他に行ってしまうような事態も生じていた。
【０００８】
本発明は以上のような課題に鑑みてなされたものであり、その目的は、母親を満足させるのではなく、知能がある程度発達した乳幼児の興味・関心を確実に惹きつけ、オムツ交換時の労力の負担を軽減することができるような形態の使い捨てオムツを提供することにある。
【０００９】
【課題を解決するための手段】
以上のような課題を解決するために、本発明においては、絵柄を配置したオムツについて、特にオムツの絵柄や表現方法を、対象となる子供の月齢の心理発達の成長段階にあったものへと変更する、具体的には、１７ヶ月以降の月齢の幼児を対象とするオムツにストーリー性のある絵柄を含む絵柄を配置することにより、オムツの対象月齢を調整する。
【００１０】
ここで、一般的に言われていることとして、乳幼児の視力は６ヶ月で０．０４〜０．０８、１２ヶ月で０．２〜０．２５、２４ヶ月で０．５から０．６程度しかなく、キャラクターの違いがわかるのは１歳を過ぎてからである。また、出願人らの独自の調査により、「６ヶ月〜１７ヶ月の幼児は、ガラガラや吊るしメリーといった、音が出たり、カラフルに色づけされた、おもちゃの動きを興味深く眺め、１８ヶ月〜２４ヶ月の幼児は、イナイイナイバアといった、簡単なストーリー展開を認識して喜ぶ」ということが判明した。
【００１１】
これに関して言えば、濡れたら消えるお知らせデザインなどというものがあるがゆえに、ある程度知能の発達した子供などは、目的とすべき「オムツ離れ」とは違った方向に誘導されてしまう（例えば、色が変わるのを面白がって、オムツにわざとおしっこをする）可能性を否定できない。子供のオムツ使用において起こりうるであろう、幅広い状況、子供の行動パターンの中での、問題行動に基づいて活路を見出したというのは、出願人らの大いなる成果である。
【００１２】
更に言えば、オムツ交換時における交換者（特に母親）の体力的、精神的負担を低減し、子供の健全な発育を促進させるため、オムツ交換時における親子のコミュニケーションの質を向上させる工夫が必要であるが、これらの背景からオムツを使用する月齢の幼児を喜ばせるには、数多くのイラストバリエーションよりも、子供を喜ばせたいそのときに、動きがあって、ドラスティックな変化を与えることが重要であるということが、本出願人らの研究によって明らかになり、それに基づいて本発明を完成するに至ったのである。そして、この工夫は、楽しくオムツ替えができ、子供の心理発達に悪い影響を与えにくいものとなり得る。
【００１３】
より具体的には、本発明においては以下のようなものを提供する。
【００１４】
（１）　所定のイラスト表示がなされているイラスト表示部を備える使い捨てオムツにおいて、前記イラスト表示部に表示されるイラストを変更することにより、前記使い捨てオムツの対象月齢を調整する方法。
【００１５】
（２）　所定のイラスト表示がなされているイラスト表示部を備える使い捨てオムツであって、前記イラスト表示部は、それぞれ異なるイラストを表示している複数のサブイラスト表示部からなり、当該サブイラスト表示部は、使い捨てオムツに存在する複数の表示面の異なる表示面にそれぞれ配置されていると共に、前記複数のサブイラスト表示部に表示されている各イラストの間には、形状、模様、色彩、観念、あるいはこれらの組み合わせの上で、何らかの関連性もしくは統一性が設定されている使い捨てオムツであり、前記異なる表示面にそれぞれ配置されている前記サブイラスト表示部に表示されているイラストを一連のものとして見て当該イラストどうしを対比した場合に、当該イラストどうしの間で生ずるイラストの変化の態様を調整することにより、前記使い捨てオムツの対象月齢を調整する方法。
【００１６】
（３）　前記イラストは、特定のキャラクターが少なくとも一つ以上含まれているイラストである（１）または（２）記載の方法。
【００１７】
（４）　対象月齢３６ヶ月以下幼児用使い捨てオムツに対して適用される方法である（１）から（３）いずれか記載の方法。
【００１８】
（５）　対象月齢１２ヶ月以上２４ヶ月未満幼児用使い捨てオムツに対して適用される方法である（１）から（３）いずれか記載の方法。
【００１９】
（６）　対象月齢１８ヶ月以上２４ヶ月未満幼児用使い捨てオムツに対して適用される方法である（１）から（３）いずれか記載の方法。
【００２０】
（７）　前記使い捨てオムツがテープ型オムツである（１）から（６）いずれか記載の方法。
【００２１】
ここでテープ型オムツとは、止着テープで、脇を止めることによって装着できる形状のオムツである。
【００２２】
（８）　前記使い捨てオムツがパンツ型オムツである（７）記載の方法。
【００２３】
（９）　所定のイラスト表示がなされているイラストを備える使い捨てオムツにおける、前記イラストを決定する際に使用される、使い捨てオムツのイラスト決定方法であって、前記イラストの候補からなるイラスト候補群を設定するイラスト群決定工程と、前記イラスト候補群に含まれているイラストが付されている使い捨てオムツを被験者たる子供のおむつ交換に教師、当該おむつ交換の際の単位時間当たりに生ずる、母親から子供への一度の働きかけをプラス１とカウントし、
【００２４】
【数６】
2004105668.tif 000003
【００２５】
の数式により、「母親働きかけ値」を算出する母親働きかけ値算出工程と、前記イラスト候補群に含まれている各イラストの候補に対応する母親働きかけ値同士を比較して、コンピュータが、母親働きかけ値の高いものから順に、イラスト候補として妥当であることを出力する使い捨てオムツのイラスト決定方法。
【００２６】
（１０）　（９）に記載のイラスト決定方法であって、当該オムツ交換の際の単位あたりに生ずる、母親から子供への働きかけに対して、子供から、喜び、快楽などポジティブな感情に伴うシグナルが認められた場合、あるいは、母親から子供への働きかけがあった以降に、子供から、喜び、快楽などポジティブな感情に伴うシグナルが認められた場合をプラス１とカウントし、
【００２７】
【数７】
2004105668.tif 000004
【００２８】
の数式により、「子供反応値」を算出する子供反応値算出工程と、
【００２９】
【数８】
2004105668.tif 000005
【００３０】
の数式により、プラス作用値を算出するプラス作用値算出工程と、このプラス作用値算出工程にて算出された、前記イラスト群候補に含まれている各イラストの候補に対応するプラス作用値どうしを比較して、コンピュータがプラス作用値の高いものから順に、イラストの候補として妥当であることを出力する使い捨てオムツのイラスト決定方法。
【００３１】
（１１）　所定のイラスト表示がなされているイラスト表示部を備える使い捨てオムツにおける、前記イラスト表示部に表示されるイラストを決定する際に使用される、使い捨てオムツのイラスト決定方法であって、前記イラストの候補からなるイラスト候補群を設定するイラスト候補群設定工程と、前記イラスト候補群に含まれているイラストが付されている使い捨てオムツを被験者たる子供のオムツ交換に供し、当該オムツ交換の際の単位時間あたりに生ずる子供の動作のうち、当該動作が、ポジティブな感情に伴う動作である場合をプラス、ネガティブな感情につながる動作である場合をマイナス、として極性を定め、
【００３２】
【数９】
2004105668.tif 000006
【００３３】
の数式により「母子相互作用」を算出する母子相互作用算出工程と、この母子相互作用算出工程にて算出された、前記イラスト候補群に含まれている各イラストの候補に対応する母子相互作用どうしを比較して、コンピュータが、母子相互作用の高いものから順に、イラストの候補として妥当であることを出力する使い捨てオムツのイラスト決定方法。
【００３４】
（１２）　前記ポジティブな感情に伴う動作は、子供の「笑う、機嫌よく声を出す、物を握る、または遊ぶ」という動作であり、前記ネガティブな感情につながる動作は、子供の「泣く、逃げる、暴れる、怒る」という動作である（１０）または（１１）記載の使い捨てオムツのイラスト決定方法。
【００３５】
（１３）　前記単位時間は、以下のものである（１０）から（１２）記載の使い捨てオムツのイラスト決定方法。
「▲１▼新しいオムツを準備する。→▲２▼子供を誘導する。→▲３▼装着しているオムツを取り外す。→▲４▼股間部を清浄し、新しいオムツを装着する。→▲５▼使用済みのオムツを破棄する。」
【００３６】
（１４）　所定のイラスト表示がなされているイラスト表示部を備え、前記イラスト表示部は、それぞれ異なるイラストを表示している複数のサブイラスト表示部からなり、当該サブイラスト表示部は、使い捨てオムツに存在する複数の表示面の異なる表示面にそれぞれ配置されていると共に、前記複数のサブイラスト表示部に表示されている各イラストの間には、形状、模様、色彩、観念、あるいはこれらの組み合わせの上で、何らかの関連性もしくは統一性が設定されている使い捨てオムツにおける、前記イラスト表示部に表示されるイラストを決定する際に使用される、使い捨てオムツのイラスト決定方法であって、前記サブイラスト表示部のそれぞれに表示されるイラストの候補からなるイラスト候補群を設定するイラスト候補群設定工程と、前記イラスト候補群に含まれているイラストが付されている使い捨てオムツを被験者たる子供のオムツ交換に供し、当該オムツ交換の際に、前記被験者たる子供が見える表示面を逐次変更したときに単位時間あたりに生ずる子供の動作のうち、当該動作が、ポジティブな感情に伴う動作である場合をプラス、ネガティブな感情につながる動作である場合をマイナス、として極性を定め、
【００３７】
【数１０】
2004105668.tif 000007
【００３８】
の数式により「母子相互作用」を算出する母子相互作用算出工程と、この母子相互作用算出工程にて算出された、前記イラスト候補群に含まれている各イラストの候補に対応する母子相互作用どうしを比較して、コンピュータが、母子相互作用の高いものから順に、イラストの候補として妥当であることを出力する使い捨てオムツのイラスト決定方法。
【００３９】
【発明を実施するための形態】
図１、２、３はこの発明の実施の好適な一実施形態を示す図である。
【００４０】
図１で示されるのはオムツである。オムツ１の構成は特に限定しないが、例えば、ウエスト開口部２と脚開口部３を有するアウター部と、アウター部の股間部近傍に具備された、インナー部からなり、インナー部をアウター部に接着して、オムツ１を形成することができる。アウター部とインナー部を組み立てる際には、ヒートシール、超音波シール、ホットメルト接着剤などを用いることができる。
【００４１】
インナー部は、肌接触面に具備された、トップシート６と吸収体５からなる。
トップシート６には、親水性の不織布や、開孔プラスチックなどの液透過性シートを用いる。ここでいう不織布は、スパンレース、ニードルパンチ、メルトブローン、サーマルボンド、ケミカルボンド、エアースルーなどの製法で作られたもので、不織布の繊維には、ポリオレフィン系、ポリエステル系、ポリアミド系の繊維、または、ポリエチレン、ポリプロピレンやエステルで形成された、シースコア型複合繊維、または、サイドバイサイド型繊維を使うことができる。
【００４２】
吸収体５は、親水性繊維と高吸収性ポリマーからなる。親水性繊維は、パルプ、レーヨン、アセテート、コットン等の吸収性繊維、熱可塑性合成樹脂繊維を親水化した繊維などが採用される。保持した体液を漏らさないために、プラスチックフィルムを具備することができる。
【００４３】
アウター部は、耐液性、肌触りのよさ、通気性を両立させる為、複数のシートから構成される。例えば、疎水性の不織布、不透水性のプラスチックフィルム、これらを貼り合わせたシートを用いることができる。上記プラスチックフィルムは、フィラーを混入した後、延伸することで、通気性、透湿性を高めることができる。
【００４４】
オムツ１の胴回りの部分８には、ウエスト開孔部２に沿って、延びる弾性体９が複数設けられている。これら弾性体９，１０はアウター部を構成する複数のシートの間に設けられており、挟み込んだ２枚のシートの間に弾性体が伸長した状態で、ホットメルトによって接合されている。
【００４５】
弾性体９，１０としては、天然ゴム、合成ゴム、熱可塑性合成樹脂からなるプラスチックシートが採用可能である。
【００４６】
オムツを使用するターゲット月齢（３６ヶ月未満）の乳幼児は、６ヶ月で０．０４〜０．０８、１２ヶ月で０．２〜０．２５、２４ヶ月で０．５から０．６程度の視力であるため、上記で指定した大きさよりも小さい図柄の場合、また、上記で指定した色相より低い色のみで構成された図柄である場合、交換者がオムツを手にとって子供に見せた際に、はっきり見えないため、違いを判別することができないからである。また、図柄１１が腹側に配置された場合は背側、図柄１１が背側に配置された場合は腹側の位置に、図柄１３が配置されている（図３）。
図柄１１図柄１３に存在するキャラクター１２は、前述、前提で関連づけられることにより、図柄１１と図柄１３は簡単なストーリーを表現できる。また、オムツの片面にある一番目のストーリーを見せて、そのまま裏返せば、別の片面にある２番目のストーリーを子供に見せることができる。
【００４７】
図柄１１と図柄１３に最も大きく配置されたキャラクター１２は、下記前提の内一つ、または複数の組み合わせで関連づけられている（図４〜１３）。
【００４８】
【表１】
2004105668.tif 000008
【００４９】
イラストの配置方法は、オムツの外から確認できるように配置されていれば、特に限定されない。例えば、アウター部４を構成する不織布、またはフィルムに直接印刷されていてもよいし、あらかじめイラストを印刷したフィルムをアウター部４を構成しているフィルムに貼り付けても良い。また、インナー側に上記の方法で配置されていても良い。アウター部４の外側表面には、オムツを廃棄する際に丸めて止める為のテープ１４が接着されている。テープ１４は、プラスチックフィルムに粘着剤が塗布されており、つかみ部を確保する為に、片端に粘着剤非塗工部が存在する。テープ１４はアウター部４の外側表面に直接固定された、実質離形性のあるフィルム上にテープ１４の粘着剤が当たるよう、具備されている。必要なテープ長さを確保できるよう、Ｚ折り形状に固定しても良いし、伸縮性のあるテープ基材を用いても良い。
【００５０】
このテープ１４は、アウター部４の外側表面の図柄１１，１３に重ならない、もしくは、少なくとも、イラスト１１、１３にかかる部分が透明な方が、より見やすくなる。テープ１４は、必要に応じて２つ具備されていても良い（図１４，１５）。
【００５１】
ここで、本実施例におけるオムツの交換時に使用したときの母子コミュニケーション評価の結果を示す。
【００５２】
以下のサンプルを用いてオムツ交換を行った（図１６）。
【００５３】
【表２】
2004105668.tif 000009
【００５４】
イラストはほぼ中央に、８ｃｍ×８ｃｍの枠いっぱいに収まる大きさに配置した。
【００５５】
以下の過程をオムツ交換の時間とした。
【００５６】
【表３】
2004105668.tif 000010
【００５７】
オムツの交換時間内のコミュニケーションを定量化するために、母子相互作用という指標を用いた。
【００５８】
【数１１】
2004105668.tif 000011
【００５９】
【数１２】
2004105668.tif 000012
【００６０】
【数１３】
2004105668.tif 000013
【００６１】
【数１４】
2004105668.tif 000014
【００６２】
シグナル値とは、子供、または母親から発信される、泣く、笑う、声を発する、など自身の意思を相手に伝えるための働きかけ全てを指す。
【００６３】
「母親シグナル値」は、母親から子供へ働きかけがあった場合をプラス１とした。「子供シグナル値」は母親から子供へ働きかけたシグナルに対して、子供から、喜び、快楽などポジティブな感情に伴うシグナルが認められた場合、あるいは、母親から子供へ働きかけがあった以降に、子供から、喜び、快楽などポジティブな感情に伴うシグナルが認められた場合をプラス１とした。「母子相互作用値」は、母親から子供に働きかけがあった場合を１とし、さらに、母親から子供へ働きかけたシグナルに対して、子供からのレスポンスシグナルが認められた場合は、その絶対値を２とカウントし、喜び、快楽などポジティブな感情に伴うものをプラス、不快、苦痛等ネガティブな感情につながるものをマイナスと定義した（図１７）。
【００６４】
例えば、母親が子供を誘導している間、泣いて逃げた子供を母緒が押さえつける状況が３０秒、新しいオムツに取り替えている間に子供が笑い、母親が声をかける状況が２０秒、母親がオムツを捨てに行っている間、子供がバブバブと機嫌よく声を発しているのが１０秒であった場合、以下の通りとなる。
【００６５】
【数１５】
2004105668.tif 000015
【００６６】
【数１６】
2004105668.tif 000016
【００６７】
【数１７】
2004105668.tif 000017
【００６８】
【数１８】
2004105668.tif 000018
【００６９】
母親働きかけ値が高いほど、母親が子供に多く働きかけたことを意味し、子供反応値が高いほど、母親の働きかけに対して子供が喜んだことを意味する。プラス作用値が高いほど、母と子のコミュニケーションが長時間持続したことを意味し、母子相互作用値がプラス方向に数字が高いほど、子供が嫌がらず、母と子のコミュニケーションがより長時間持続したことを意味する。
【００７０】
上記サンプル、方法で、６〜１１ヶ月の幼児と母親、１２〜１７ヶ月の幼児と母親、１８〜３５ヶ月の幼児と母親において、各２母子に検証を行い、平均値を算出した。その結果を図１８に示した。
【００７１】
母親働きかけ値、子供反応値、プラス作用値、母子相互作用値ともに、従来例１＜従来例２≪実施例の順に高く、従来例よりも実施例のほうが、オムツ換え時間中に、より質の高いコミュニケーションが取れることが証明された。しかも、１８〜２３ヶ月の幼児に特に顕著に見られ、この月齢の幼児の心理発達に非常に効果的であることがわかった。
【００７２】
＜母子相互作用の検証＞
第２の実施例として、前記実施例における、オムツの交換時間内のコミュニケーションを定量化するために用いられた、母子相互作用指標による評価の有効性を確認するための検証を行った。
【００７３】
検証方法としては、生後６〜１１ヶ月、生後１２〜１７ヶ月、生後１８〜２３ヶ月、２４〜３６ヶ月のそれぞれの生後月齢範囲に属する子供に対し、母親が子供を誘導してオムツ交換を行ったときの様子を撮影し、母子相互作用（シグナル値）の有無と継続時間を記録した。
【００７４】
母子相互作用値は、以下のように求めた。
【００７５】
【数１９】
2004105668.tif 000019
【００７６】
【数２０】
2004105668.tif 000020
【００７７】
【数２１】
2004105668.tif 000021
【００７８】
【数２２】
2004105668.tif 000022
【００７９】
ここでシグナル値とは、子供、または母親から発信される、泣く、笑う、声を発する、など自身の意思を相手に伝えるための働きかけすべてを指す。
【００８０】
「母親シグナル値」は、母親から子供へ働きかけがあった場合をプラス１とした。「子供シグナル値」は母親から子供へ働きかけたシグナルに対して、子供から、喜び、快楽などポジティブな感情に伴うシグナルが認められた場合、あるいは、母親から子供へ働きかけがあった以降に、子供から、喜び、快楽などポジティブな感情に伴うシグナルが認められた場合をプラス１とした。「母子相互作用値」は、母親から子供に働きかけがあった場合を１とし、さらに、母親から子供へ働きかけたシグナルに対して、子供からのレスポンスシグナルが認められた場合は、その絶対値を２とカウントし、喜び、快楽などポジティブな感情に伴うものをプラス、不快、苦痛等ネガティブな感情につながるものをマイナスと定義した。
【００８１】
以下のサンプルを用いて検証を行った（図１９）。
【００８２】
【表４】
2004105668.tif 000023
【００８３】
これらの検証サンプルと方法で、以下の月齢の幼児とその母親である被験者について検証を行った。
【００８４】
【表５】
2004105668.tif 000024
【００８５】
検証の結果を図２０に示す。図２０はそれぞれのサンプルと、６ヶ月以上１２ヶ月未満、１２ヶ月以上１８ヶ月未満、１８ヶ月以上２４ヶ月未満、２４ヶ月以上３５ヶ月未満のそれぞれの対象月齢に該当する被験者ごとの、母親働きかけ値、子供反応値、プラス作用値、母子相互作用値を示したものである。
【００８６】
これらの検証結果から、イラストの見せ方が異なる４種類のオムツの中には、幼児が喜ぶ、すなわちポジティブな感情に伴うシグナルを発信するものが存在し、しかも幼児の月齢別でその傾向が異なるということが定量的に示された。低月齢児は動きのある単純なものを好み、高月齢児はキャラクターの動作に関心を持つことが示された。また、興味の傾向は、幼児の体重よりも幼児の遊びの好み、運動機能にリンクしていることも示され、運動機能の発達が、遊びの発達、そして知能の発達へとつながっていることを示唆するものとなっている。
【００８７】
以上の検証実施例から、母子相互作用評価によって、親子のコミュニケーションの質を数値化することが可能であることが示された。
【００８８】
また、母子相互作用評価によって、オムツの着用者である子供を喜ばせ、おむつ交換時における親子のコミュニケーションの質を向上させるイラストの種類や、その見せ方が、その子供の月齢によって異なるものであることが定量的に把握された。
【００８９】
このことにより、子供の心理発達に見合ったイラストをオムツにつけることにより、機嫌よくオムツ替えをすることができ、親子のコミュニケーションの質も向上させることが可能となる。そして、オムツ替え時の、母親の心理的負担、体力的負担を低減させることができる。
【００９０】
またこの逆に、母子相互作用指標を用いて、オムツに配置するイラストを対象となる子供の月齢に応じた心理発達に見合うものに変化させることにより、月齢範囲ごとに異なる機能を有するオムツの対象月齢を最適に調整することができる。
【００９１】
【発明の効果】
以上のように、本発明に係る使い捨てオムツの対象月齢を調整する方法によれば、オムツに配置されたイラスト及びその表示方法によって、そのオムツの着用対象者となる子供の月齢を適切に調整することができるようになる。また、本発明に係る方法により対象月齢が調整されたオムツは、対象となる月齢の子供のオムツ替えの際には、オムツの前面を見せ、裏を返して次の展開を見せると、母親が子供に話しかけるきっかけを与え、母親の働きかけに対して、子供が喜び、それに母親が答えることによって、互いの声かけ、アイコンタクトが自然に増えるというように、コミュニケーションのきっかけを与え、コミュニケーションの質が向上させることとなる。そして、母親の子供に対する愛着心が深まり、幼児の健全な発育を促進させることができる。
【００９２】
また、幼児の機嫌が良い状態でオムツ交換できるので、オムツ交換による体力的、精神的負担を低減させることになる。
【図面の簡単な説明】
【図１】実施形態に係る紙オムツの全体構成を示す図である。
【図２】実施形態に係る紙オムツのキャラクターを示す図である。
【図３】実施形態に係る紙オムツの動作を説明するための図である。
【図４】本発明の好適な一実施形態を示す図である。
【図５】本発明の好適な一実施形態を示す図である。
【図６】本発明の好適な一実施形態を示す図である。
【図７】本発明の好適な一実施形態を示す図である。
【図８】本発明の好適な一実施形態を示す図である。
【図９】本発明の好適な一実施形態を示す図である。
【図１０】本発明の好適な一実施形態を示す図である。
【図１１】本発明の好適な一実施形態を示す図である。
【図１２】本発明の好適な一実施形態を示す図である。
【図１３】本発明の好適な一実施形態を示す図である。
【図１４】実施形態に係る紙オムツの動作を説明するための図である。
【図１５】実施形態に係る紙オムツの動作を説明するための図である。
【図１６】実施例を説明するための図である。
【図１７】実施例を説明するための図である。
【図１８】実施例の効果を示す図である。
【図１９】第２の実施例に係る紙オムツの種類と動作を説明するための図である。
【図２０】第２の実施例の検証結果を示す図である。
【符号の説明】
１　　オムツ
２　　ウエスト開口部
３　　脚開口部
５　　吸収体
６　　トップシート
８　　胴回りの部分
９、１０　　弾性体
１１、１３　　図柄
１２　　キャラクター
１４　　テープ
【図１】
2004105668.tif 000030
【図２】
2004105668.tif 000031
【図３】
2004105668.tif 000032
【図４】
2004105668.tif 000033
【図５】
2004105668.tif 000034
【図６】
2004105668.tif 000035
【図７】
2004105668.tif 000036
【図８】
2004105668.tif 000037
【図９】
2004105668.tif 000038
【図１０】
2004105668.tif 000039
【図１１】
2004105668.tif 000040
【図１２】
2004105668.tif 000041
【図１３】
2004105668.tif 000042
【図１４】
2004105668.tif 000043
【図１５】
2004105668.tif 000044
【図１６】
2004105668.tif 000045
【図１７】
2004105668.tif 000046
【図１８】
2004105668.tif 000047
【図１９】
2004105668.tif 000048
【図２０】
2004105668.tif 000049